(57)【要約】【課題】簡単で正確、迅速にバイアス線を描くことができ、操作性に優れ、しかも、紙や布等に簡易に描くことができ、さらに、等間隔又は一定間隔のバイアス線を描く手間と時間を短縮することが可能な、実用的価値に優れたバイアス定規を提供すること。【解決手段】透明又は半透明で長尺状の定規本体１の長手方向の側部にバイアスラインを描く線引縁部３を形成し、この定規本体の長手方向の両端部を基準部位４とし、この基準部位４の少なくとも一方側端部より位置決め辺５を有する位置決め部６を突出形成すると共に、位置決め辺５は、基準部位４に対して略４５度のテーパ辺７を形成したバイアス定規である。【選択図】  図１
0003130299.tif 000002
【実用新案登録請求の範囲】
【請求項１】
透明又は半透明で長尺状の定規本体の長手方向の側部にバイアスラインを描く線引縁部を形成し、この定規本体の長手方向の両端部を基準部位とし、この基準部位の少なくとも一方側端部より位置決め辺を有する位置決め部を突出形成すると共に、前記位置決め辺は、前記基準部位に対して略４５度のテーパ辺を形成したことを特徴とするバイアス定規。
【請求項２】
前記位置決め部は、直角二等辺三角形形状を呈する請求項１に記載のバイアス定規。
【請求項３】
前記定規本体に目盛表示部を施し、かつ当該目盛表示部のうち、定規本体の巾方向領域に適宜間隔に視認可能な無表示領域を設けた請求項１又は２に記載のバイアス定規。
【請求項４】
前記テーパ辺に目盛部を施した請求項１乃至３の何れか１項に記載のバイアス定規。
【考案の詳細な説明】
【技術分野】
【０００１】
本考案は、例えば、パッチワークなどの手芸用定規に好適なバイアス定規に関する。
【背景技術】
【０００２】
バイアス線を描く定規は各種のものが提案されているが、特にパッチワークに用いるバイアス定規は、バイアス状に裁断して、テープや三角形の布などのモチーフを作成する際に、布の解れを防ぐため、布にバイアス線を描く必要がある。このような場合にバイアス線を描く定規として、次のようなものが知られている。
この定規の一例を説明すると、長方形に形成した透明板の一端に、４５度の角度をなすＸ字状の案内線を設け、この案内線と布等の縁を重ね合わせて布にバイアス線を描くための定規である（特許文献１）。
【０００３】
【特許文献１】実開平２−９５９２号公報
【考案の開示】
【考案が解決しようとする課題】
【０００４】
しかしながら、特許文献１は、バイアス線を描くために、透明板の一端に設けたＸ字状の案内線を布等の縁部に重ね合わせて、布等の縁部と案内線が重なったときに布等の縁部と定規の直線部が４５度の角度をなすのでバイアス線を描くことができるが、バイアス線を複数本平行に描く場合に定規上の長尺方向の目盛線とバイアス線とが重なってしまう場合がある。この場合正確なバイアス線を描くためには、一度定規をずらして既に描いたバイアス線の位置を確認してから、再度定規をバイアス線を描きたい位置まで摺動させ、案内線と布等の縁部を合わせてからバイアス線を描く必要がある。
【０００５】
一定間隔のバイアス線を描く場合には、定規に設けられている目盛を用いることになるが、目盛は案内線に対しては斜めに設けられており、布等にバイアス線を描く場合には、この斜めの目盛で距離を測らなくてはならず、見づらく不便であり、しかも斜線との交点を確定しなければならない。
【０００６】
更に、布等の縁部でない任意の位置からバイアス線を描く場合には、基準線等が必要となるが、バイアス線を描く場合には案内線と重ね合わせることが必要になり、この場合にも一度定規をずらし位置を確認してから、再度案内線と基準線を合わせバイアス線を描くことになる。
【０００７】
本考案は、上記の課題点を解決するためのものであり、簡単で正確、迅速にバイアス線を描くことができ、操作性に優れ、しかも、紙や布等に簡易に描くことができ、さらに、等間隔又は一定間隔のバイアス線を描く手間と時間を短縮することが可能な、実用的価値に優れたバイアス定規を提供することにある。
【課題を解決するための手段】
【０００８】
上記課題を解決するために、請求項１に係る考案は、透明又は半透明で長尺状の定規本体の長手方向の側部にバイアスラインを引く線引縁部を形成し、この定規本体の長手方向の両端部を基準部位とし、この基準部位の少なくとも一方側端部より位置決め辺を有する位置決め部を突出形成すると共に、前記位置決め辺は、前記基準部位に対して略４５度のテーパ辺を形成したバイアス定規である。
【０００９】
請求項２に係る考案は、位置決め部は、直角二等辺三角形形状を呈するバイアス定規である。
【００１０】
請求項３に係る考案は、定規本体に目盛表示部を施し、かつ当該目盛表示部のうち、定規本体の巾方向領域に適宜間隔に視認可能な無表示領域を設けたバイアス定規である。
【００１１】
請求項４に係る考案は、テーパ辺に目盛部を施したバイアス定規である。
【考案の効果】
【００１２】
請求項１に係る考案によると、突出形成されたバイアス定規の端部にある位置決め辺のテーパ辺を、布等の縁部又は別に引いた基準線に重ね合わせるだけで、簡単で正確、迅速にバイアス線を描くことができ、更に布等の縁部又は基準線に重ね合わせるだけなので操作性に優れ、バイアス線を正確に複数本描くための手間と時間を省くことができる。
【００１３】
請求項２に係る考案によると、突出形成されたバイアス定規の端部に形成した位置決め辺は直角二等辺三角形形状を呈しているので、左右両テーパ辺が使用でき、布等の状況により適宜使い分けることができ迅速に作業することができる。
【００１４】
請求項３に係る考案によると、目盛表示部のうち巾方向領域に適宜間隔に設けてある無表示領域部が、定規の長尺方向の目盛り線とバイアスラインが重なった場合などに、無表示領域部を透して下面にバイアスラインを視認することができるので、その都度定規本体をずらすなどしてバイアスラインを確認する必要がなく手間をかけずに迅速に、平行なバイアスラインを描くことができる。
【００１５】
請求項４に係る考案によると、突出形成されたバイアス定規の端部に形成した直角二等辺三角形形状内に、テーパ辺と垂直に目盛が施されているので、この目盛に沿って基準部位を予め決めておいて、一定間隔又は等間隔等の平行なバイアスラインを描くために非常に好適であり、時間と手間を省略することができる。
【考案を実施するための最良の形態】
【００１６】
以下、本考案におけるバイアス定規について好ましい実施形態を図面に基づいて説明する。
図１は、バイアス定規を使用し、布の上にバイアスラインを平行に一定間隔に描いた図であり、図２は、バイアス定規の一部拡大斜視図であり、図３はバイアス定規の平面図である。
【００１７】
図面において、１は定規本体であり、この定規本体１は、透明又は半透明状の長尺状の定規であり、長手方向に目盛表示部８と線引側縁部１ａを有し、更に長手方向端部に基準部位４を突出形成し、この基準部位には位置決め部６と位置決め辺５を有し、位置決め辺５はテーパ辺７を有し、このテーパ辺７は基準部位４に対し略４５度の角度をなす構造である。
更に、定規本体１には、巾方向には目盛表示部８の表示がない、無表示領域部９を適宜間隔に設け、下面を視認可能にしている。
また、前記基準部位４は形状を直角二等辺三角形形状とすることが可能であり、基準部位４のテーパ辺７に目盛部１０設けてバイアスラインの間隔を測ることができる構成を呈している。
【００１８】
図１において、本考案に係るバイアス定規を具体的に説明する。
本考案に係るバイアス定規の定規本体１を、布１１（被表示部材）の端部１２に重ね合わせ、位置決め辺５が端部１２と重なるように位置を調整する。その他、布１１に図示しない基準線を描いて、これに位置決め辺５を重ねて位置決めしても良い。定規本体１の位置決め辺５と線引縁部３は４５度の角度をなすので、位置決め辺５と布１１の端部１２を重ね合わせればバイアス定規は４５度の角度をもったバイアスラインを形成し、バイアスラインを描くことができる。
【００１９】
更に、複数本のバイアスライン２を引く場合には、バイアス定規１を所定の位置に摺動させて上記手順で描くが、既に描かれているバイアスライン２と定規本体１に施された目盛表示部８の長尺方向の線とが重なる場合がある。この場合は、次のように正確で迅速にバイアスラインを描くことが可能となる。
【００２０】
すなわち、本考案に係るバイアス定規では、目盛表示部８に適宜間隔に無表示領域部９が施されているので、無表示領域部９を透して既に描かれたバイアスライン２を下面に視認でき、正確なバイアスライン２を平行に、しかも迅速に描くことができる。
【００２１】
更に、等間隔や一定の間隔をもってバイアスライン２を描きたい場合には、突出形成されたバイアス定規の基準部位端部４ａ内に、テーパ辺７と垂直に目盛部１０が施されているので、この目盛部１０を使用して間隔を測ることができ、迅速に等間隔または一定の間隔の平行なバイアスライン２を描くことができる。
【００２２】
図１においては、布の上においてバイアスラインを描いているが当然にパッチワーク用の布や、紙等の平面状のものならどんなものにも使用できる。更に、バイアスラインを描くためにバイアス定規を当接する場所は布等の端部に限られず、布等の表面に任意に描いた位置より本考案のバイアス定規を使用してバイアスラインを描くことができる。
【００２３】
図２は、バイアス定規の一部拡大斜視図である。透明又は半透明の定規本体１に目盛示部８を線引縁部３の側部１ａのすぐ上に施しているが、更に、無表示領域部９を適宜間隔で備えている。従来、バイアスラインを複数本描く場合などに、定規にバイアスラインが重なってしまいその都度定規をずらしてバイアスラインの位置を確認しなければならなかった。しかし、本考案のバイアス定規では、バイアスライン２が目盛表示部８や定規の一部と重なった場合等には、無表示領域部９を透してバイアスライン２を視認することができるので迅速かつ正確に平行なバイアスラインを描くことができる。
【００２４】
図３は、バイアス定規の平面図であるが、透明又は半透明の長尺状の定規本体１に長尺方向、更に巾方向に目盛表示部８が施されている。目盛表示部８は適宜間隔に巾方向に無表示部９を設けてあり、下面に視認性を確保している。
【００２５】
更に、一方側端部には位置決め辺５を有する位置決め部６の基準部位４よりが突出形成されており、位置決め辺５はテーパ辺７を有し、突出部の内部の透明な部分には、目盛部１０が施されている。この目盛部１０を使用して等間隔または一定の間隔に平行なバイアスラインを描くことができる。
【００２６】
図３においては、位置決め辺５を有する端部４は一方側にしか表されていないが当然に、両端側に設けることも可能である。
【００２７】
更に、図示されてはいないが、本考案の他の実施例として、位置決め部６の形状を直角二等辺三角形形状に限らず、略４５度の角度を有するテーパ辺７と一の位置決め辺５からなる突出部で形成してもよく、これらは実施に応じて任意である。
【図面の簡単な説明】
【００２８】
【図１】本考案におけるバイアス定規を使用して布にバイアス線を引く状態を示す平面説明図である。
【図２】図１に示した定規の一部拡大斜視図である。
【図３】図１に示した定規の平面図である。
【符号の説明】
【００２９】
１  定規本体
１ａ  線引側縁部
２  バイアスライン
３  線引縁部
４  基準部位
４ａ  基準部位端部
５  位置決め辺
６  位置決め部
７  テーパ辺
８  目盛表示部
９  無表示領域部
１０  目盛部
１１  布（被表示部材）
１２  端部
１３  基準部位に設けた目盛部
【図１】
0003130299.tif 000003
【図２】
0003130299.tif 000004
【図３】
0003130299.tif 000005